(57)【要約】  変速制御装置は、ゼロから±１８０°の間で回転して偏心機構（４〜１３）の偏心量を調整可能な偏心駆動部（１４）と、偏心量に応じて揺動する揺動リンクの揺動角を検出可能な揺動角検出部（５２）と、偏心駆動部（１４）を第１方向へ回転することで揺動角が増大する正領域と、偏心駆動部（１４）を第１方向とは逆の第２方向へ回転することで揺動角が増大する負領域とを有し、正領域および負領域で揺動角と偏心駆動部（１４）の回転角とを対応づける偏心量マップを記憶した偏心量マップ記憶部（５１）と、検出された揺動角と偏心駆動部（１４）の回転角度とを偏心量マップにあてはめ、偏心量がゼロとなる偏心駆動部（１４）の回転角を決定し、回転角を用いて偏心駆動部（１４）を制御する偏心制御部（５３）と、を備える。
2015151373.tif 000002
【特許請求の範囲】
【請求項１】
駆動源の回転軸に接続された入力軸（２）の回転を変速して出力軸（３）に伝達する無段変速機（１）が、
前記入力軸（２）の軸線からの偏心量が可変である偏心機構（４〜１３）と、
前記入力軸（２）と共に回転する入力側支点（Ｐ３）と、
前記出力軸（３）に接続されたワンウェイクラッチ（１７）と、
前記ワンウェイクラッチ（１７）の揺動リンク（１８）に設けられた出力側支点（Ｐ５）と、
前記入力側支点（Ｐ３）および前記出力側支点（Ｐ５）の両端に接続されて、前記偏心機構（４〜１３）の偏心量に応じて往復運動するコネクティングロッド（１９）と、
を備える無段変速機の変速制御装置であって、
ゼロから±１８０°の間で回転して前記偏心機構（４〜１３）の前記偏心量を調整可能な偏心駆動部（１４）と、
前記偏心量に応じて揺動する前記揺動リンク（１８）の揺動角を検出可能な揺動角検出部（５２）と、
前記偏心駆動部（１４）を第１方向へ回転することで前記揺動角が増大する正領域と、前記偏心駆動部（１４）を前記第１方向とは逆の第２方向へ回転することで前記揺動角が増大する負領域とを有し、前記正領域および前記負領域で前記揺動角と前記偏心駆動部（１４）の回転角とを対応づける偏心量マップ（６００）を記憶した偏心量マップ記憶部（５１）と、
前記揺動角検出部（５２）で検出された揺動角と前記偏心駆動部（１４）の回転角度とを前記偏心量マップにあてはめ、前記偏心量がゼロとなる前記偏心駆動部（１４）の回転角を決定し、前記回転角を用いて前記偏心駆動部（１４）を制御する偏心制御部（５３）と、を備え、
前記偏心制御部（５３）は、
前記偏心駆動部（１４）の初期値から前記偏心駆動部（１４）を回転させた場合の揺動角の変化により、前記初期値が前記正領域および前記負領域のいずれかに含まれるか判定し、
前記初期値が含まれる領域から他方の領域まで前記偏心駆動部（１４）を回転させた際の第１の回転角（ａ）と前記揺動リンク（１８）の揺動角（ｐ）を取得し、
前記他方の領域から前記初期値が含まれる領域まで前記偏心駆動部（１４）を回転させた際に、前記揺動角（ｐ）と等しい揺動角になる第２の回転角（ｂ）を取得し、
前記揺動角（ｐ）と、前記第１の回転角（ａ）と、前記第２の回転角（ｂ）とを前記偏心量マップ（６００）にあてはめ、前記正領域と前記負領域の境界を前記偏心量がゼロとなる前記偏心駆動部（１４）の回転角として決定する
ことを特徴とする変速制御装置。
【請求項２】
前記偏心制御部（５３）は、
前記無段変速機（１）が非駆動状態のときに、前記偏心量がゼロとなる前記偏心駆動部（１４）の回転角度を決定することを特徴とする請求項１に記載の変速制御装置。
【請求項３】
前記偏心制御部（５３）は、
前記駆動源の起動時もしくは終了時に前記回転角を決定することを特徴する請求項２に記載の変速制御装置。
【請求項４】
前記偏心量マップ（６００）には、前記偏心制御部（５３）の制御値に対する前記偏心駆動部（１４）の回転角と前記揺動リンク（１８）の揺動角との関係の理論値が格納されており、
前記偏心制御部（５３）は、
前記第１の方向および前記第２の方向に前記偏心駆動部（１４）を回転させた場合の回転角と揺動角の検出結果と、前記理論値との差分により、前記偏心機構（４〜１３）のバックラッシュを算出し、
前記偏心制御部（５３）は、
前記バックラッシュに対応する回転角として待機制御値を設定し、
車両の停止状態において、前記偏心量がゼロとなる前記偏心駆動部（１４）の回転角から前記待機制御値だけ前記偏心駆動部（１４）を回転させる
ことを特徴とする請求項１に記載の変速制御装置。
【請求項５】
操作部（ＥＣＯＮ）からの入力に応じて前記駆動源の制御モードを判定する操作入力判定部（５７）を更に備え、
前記操作入力判定部（５７）により、燃料の消費を抑えるエンジン制御モードが選択されたと判定された場合、前記偏心制御部（５３）は前記待機制御値として前記バックラッシュに対応する回転角を設定し、
前記操作入力判定部（５７）により、前記エンジン制御モードが選択されていないと判定された場合、前記偏心制御部（５３）は前記待機制御値として、車両の静止摩擦力に対応する駆動力を前記出力軸（３）側に加えるための回転角を設定し、
前記車両の停止状態において、前記偏心制御部（５３）は、前記偏心量がゼロとなる前記偏心駆動部（１４）の回転角から前記待機制御値だけ前記偏心駆動部（１４）を回転させる
ことを特徴とする請求項４に記載の変速制御装置。
【請求項６】
前記偏心制御部（５３）は、前記第１の回転角度（ａ）および前記第２の回転角度（ｂ）の中点を前記偏心量がゼロとなる前記偏心駆動部（１４）の回転角として決定することを特徴とする請求項１に記載の変速制御装置。
【発明の詳細な説明】
【技術分野】
【０００１】
本発明は、無段変速機の変速制御装置に関する。
【背景技術】
【０００２】
例えば、特許文献１には、エンジンに接続された入力軸の回転をコネクティングロッドの往復運動に変換し、コネクティングロッドの往復運動をワンウェイクラッチによって出力軸の回転運動に変換する無段変速機が記載されている。
【先行技術文献】
【特許文献】
【０００３】
【特許文献１】特開２０１２−１０４８号公報
【発明の概要】
【発明が解決しようとする課題】
【０００４】
図１７Ａは無段変速機の変速原理を例示する図である。無段変速機はクランク軸と同期している偏心ディスクとピ二オンシャフトの位相差を、回転半径（偏心量Ｒ１）＝０から変化させて、ギヤニュートラル（ＧＮ）における変速比∞からオーバードライブ（ＯＤ：最小変速比）までのレシオで変速可能である。【０００５】
図１７Ｂは従来の偏心量Ｒ１を求めるための構成例を示す図であり、変速アクチュエータ（モータ）に接続するポジションセンサの値を用いて偏心量Ｒ１の値を推定していた。【０００６】
しかしながら、偏心機構を構成する変速アクチュエータ（減速機）のバックラッシュ、ピ二オンシャフトの捩じれ、クランクシャフトの捩じれ、ピ二オンシャフトと偏心ディスクとの間のバックラッシュなど、様々な外乱の影響が介在するため、偏心量Ｒ１の実測値は推定値と異なるものとなる。【０００７】
ポジションセンサの値を用いた構成では、正確に偏心量Ｒ１を求めることができない。また、無段変速機の構成では、変速アクチュエータを制御する際の原点、すなわち、ギヤニュートラル（ＧＮ）点に機械的ストッパー等が設けられていないため、ギヤニュートラル（ＧＮ）点を精度良く決定することができない。【０００８】
上記の無段変速機は偏心量Ｒ１の変更により変速比が変化するので、無段変速機の制御を適切なものにするために制御上の原点となるギヤニュートラル（ＧＮ）点を精度良く求めることが必要とされる。【０００９】
本発明は、ギヤニュートラル点を精度良く求めることが可能な変速制御装置を提供する。
【課題を解決するための手段】
【００１０】
本発明の第１の側面の変速制御装置は、駆動源の回転軸に接続された入力軸（２）の回転を変速して出力軸（３）に伝達する無段変速機（１）が、前記入力軸（２）の軸線からの偏心量が可変である偏心機構（４〜１３）と、前記入力軸（２）と共に回転する入力側支点（Ｐ３）と、前記出力軸（３）に接続されたワンウェイクラッチ（１７）と、前記ワンウェイクラッチ（１７）の揺動リンク（１８）に設けられた出力側支点（Ｐ５）と、前記入力側支点（Ｐ３）および前記出力側支点（Ｐ５）の両端に接続されて、前記偏心機構（４〜１３）の偏心量に応じて往復運動するコネクティングロッド（１９）と、を備える無段変速機の変速制御装置であって、
ゼロから±１８０°の間で回転して前記偏心機構（４〜１３）の前記偏心量を調整可能な偏心駆動部（１４）と、
前記偏心量に応じて揺動する前記揺動リンク（１８）の揺動角を検出可能な揺動角検出部（５２）と、
前記偏心駆動部（１４）を第１方向へ回転することで前記揺動角が増大する正領域と、前記偏心駆動部（１４）を前記第１方向とは逆の第２方向へ回転することで前記揺動角が増大する負領域とを有し、前記正領域および前記負領域で前記揺動角と前記偏心駆動部（１４）の回転角とを対応づける偏心量マップ（６００）を記憶した偏心量マップ記憶部（５１）と、
前記揺動角検出部（５２）で検出された揺動角と前記偏心駆動部（１４）の回転角度とを前記偏心量マップにあてはめ、前記偏心量がゼロとなる前記偏心駆動部（１４）の回転角を決定し、前記回転角を用いて前記偏心駆動部（１４）を制御する偏心制御部（５３）と、を備え、
前記偏心制御部（５３）は、
前記偏心駆動部（１４）の初期値から前記偏心駆動部（１４）を回転させた場合の揺動角の変化により、前記初期値が前記正領域および前記負領域のいずれかに含まれるか判定し、
前記初期値が含まれる領域から他方の領域まで前記偏心駆動部（１４）を回転させた際の第１の回転角（ａ）と前記揺動リンク（１８）の揺動角（ｐ）を取得し、
前記他方の領域から前記初期値が含まれる領域まで前記偏心駆動部（１４）を回転させた際に、前記揺動角（ｐ）と等しい揺動角になる第２の回転角（ｂ）を取得し、
前記揺動角（ｐ）と、前記第１の回転角（ａ）と、前記第２の回転角（ｂ）とを前記偏心量マップ（６００）にあてはめ、前記正領域と前記負領域の境界を前記偏心量がゼロとなる前記偏心駆動部（１４）の回転角として決定することを特徴とする。【００１１】
また、本発明の変速制御装置の第２の側面によれば、前記偏心制御部（５３）は、前記無段変速機（１）が非駆動状態のときに、前記偏心量がゼロとなる前記偏心駆動部（１４）の回転角度を決定することを特徴とする。【００１２】
また、本発明の変速制御装置の第３の側面によれば、前記偏心制御部（５３）は、前記駆動源の起動時もしくは終了時に前記回転角を決定することを特徴する。【００１３】
また、本発明の変速制御装置の第４の側面によれば、前記偏心量マップ（６００）には、前記偏心制御部（５３）の制御値に対する前記偏心駆動部（１４）の回転角と前記揺動リンク（１８）の揺動角との関係の理論値が格納されており、
前記偏心制御部（５３）は、
前記第１の方向および前記第２の方向に前記偏心駆動部（１４）を回転させた場合の回転角と揺動角の検出結果と、前記理論値との差分により、前記偏心機構（４〜１３）のバックラッシュを算出し、
前記偏心制御部（５３）は、
前記バックラッシュに対応する回転角として待機制御値を設定し、
車両の停止状態において、前記偏心量がゼロとなる前記偏心駆動部（１４）の回転角から前記待機制御値だけ前記偏心駆動部（１４）を回転させることを特徴とする。【００１４】
また、本発明の変速制御装置の第５の側面によれば、操作部（ＥＣＯＮ）からの入力に応じて前記駆動源の制御モードを判定する操作入力判定部（５７）を更に備え、
前記操作入力判定部（５７）により、燃料の消費を抑えるエンジン制御モードが選択されたと判定された場合、前記偏心制御部（５３）は前記待機制御値として前記バックラッシュに対応する回転角を設定し、
前記操作入力判定部（５７）により、前記エンジン制御モードが選択されていないと判定された場合、前記偏心制御部（５３）は前記待機制御値として、車両の静止摩擦力に対応する駆動力を前記出力軸（３）側に加えるための回転角を設定し、
前記車両の停止状態において、前記偏心制御部（５３）は、前記偏心量がゼロとなる前記偏心駆動部（１４）の回転角から前記待機制御値だけ前記偏心駆動部（１４）を回転させることを特徴とする。【００１５】
また、本発明の変速制御装置の第６の側面によれば、前記偏心制御部（５３）は、前記第１の回転角度（ａ）および前記第２の回転角度（ｂ）の中点を前記偏心量がゼロとなる前記偏心駆動部（１４）の回転角として決定することを特徴とする。
【発明の効果】
【００１６】
第１の側面および第６の側面の構成によれば、ギヤニュートラル点を精度良く求めることが可能な変速制御装置の提供が可能になる。【００１７】
また、第２の側面の構成によれば、第１の側面の効果に加えて、無段変速機が非駆動状態のときに処理を行うことで、無段変速機の駆動により処理が中断されることなく、ギヤニュートラル点を精度良く求めることが可能になる。【００１８】
また、第３の側面の構成によれば、第２の側面の効果に加えて、駆動源の振動などの影響を受けることなく、ギヤニュートラル点を精度良く求めることが可能になる。【００１９】
また、第４の側面の構成によれば、第１の側面の効果に加えて、検出したバックラッシュに対応する回転角を車両の停止状態における待機制御値として設定することで、応答性に優れた無段変速機の制御が可能になる。【００２０】
また、第５の側面の構成によれば、第４の側面の効果に加えて、駆動源の制御モードに応じた待機制御値を設定することで、応答性に優れた無段変速機の制御が可能になる。【００２１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００２２】
添付図面は明細書に含まれ、その一部を構成し、本発明の実施の形態を示し、その記述と共に本発明の原理を説明するために用いられる。
【図１】本実施形態の無段変速機の構造を示す断面図。
【図２】図１の無段変速機の偏心量調節機構、コネクティングロッド及び揺動リンクを軸方向から見た図。
【図３】図１の無段変速機の偏心量調節機構による偏心量の変化を示す図。
【図４Ａ】本実施形態の偏心量調節機構による偏心量の変化と、揺動リンクの揺動運動の揺動角度範囲の関係を示す図。
【図４Ｂ】本実施形態の偏心量調節機構による偏心量の変化と、揺動リンクの揺動運動の揺動角度範囲の関係を示す図。
【図４Ｃ】本実施形態の偏心量調節機構による偏心量の変化と、揺動リンクの揺動運動の揺動角度範囲の関係を示す図。
【図５】第１実施形態の変速制御装置の構成を説明する図。
【図６】本実施形態の偏心量マップを示す図。
【図７】イグニッション（ＩＧ）オンシーケンスの流れを説明する図。
【図８】ＧＮ学習制御の流れを説明する図。
【図９】図９の９ａは、偏心駆動部の回転角の計測例を示す図、図９の９ｂは、揺動角の計測例を示す図。
【図１０Ａ】偏心駆動部の回転角の計測例を示す図。
【図１０Ｂ】揺動角の計測例を示す図。
【図１１Ａ】入力軸側の回転運動と、出力軸側の揺動運動を説明する図。
【図１１Ｂ】入力軸側の回転運動と、出力軸側の揺動運動を説明する図。
【図１２】第２実施形態の変速制御装置の構成を説明する図。
【図１３】偏心駆動部の回転角と偏心量と出力軸トルクの関係を示す図。
【図１４】ＥＣＯＮモードオンの場合の偏心制御部の制御を説明する図。
【図１５】ＥＣＯＮモードオフの場合の偏心制御部の制御を説明する図。
【図１６Ａ】偏心量マップ上におけるバックラッシュを例示的に示す図。
【図１６Ｂ】偏心駆動部が回転する場合の理論回転角と回転角の計測例を示す図。
【図１７Ａ】無段変速機の変速原理を例示する図。
【図１７Ｂ】従来の偏心量Ｒ１を求めるための構成例を示す図。
【発明を実施するための形態】
【００２３】
以下、図１〜図１６Ａ−図１６Ｂに基づいて本発明の実施形態を例示的に詳しく説明する。ただし、この実施形態に記載されている構成要素はあくまで例示であり、本発明の技術的範囲は、特許請求の範囲によって確定されるのであって、以下の個別の実施形態によって限定されるわけではない。
【００２４】
＜無段変速機の構造＞
まず、図１および図２を参照して、本実施形態の無段変速機の構造について説明する。本実施形態の無段変速機１は、変速比ｉ（ｉ＝入力軸の回転速度／出力軸の回転速度）を無限大（∞）にして出力軸の回転速度を「０」にできる変速機、いわゆるＩＶＴ（Ｉｎｆｉｎｉｔｙ Ｖａｒｉａｂｌｅ Ｔｒａｎｓｍｉｓｓｉｏｎ）の一種である。
【００２５】
本実施形態の無段変速機１は、入力軸２と、出力軸３と、６つの偏心量調節機構４とを備える。出力軸３は中空構造を有しており、出力軸３内を貫通して配置されているドライブシャフトＳが車両の左右の車輪Ｗ（駆動輪）と接続している。クラッチＣおよびデファレンシャルギヤＤが出力軸３の右端側に配置されている。
【００２６】
入力軸２は中空の部材からなり、エンジンやモータ等の走行駆動源からの駆動力を受けて回転中心軸線Ｐ１を中心として回転駆動される。
【００２７】
出力軸３は、入力軸２とは水平方向に離れた位置に入力軸２に平行に配置され、クラッチＣおよびデファレンシャルギヤＤ等を介して自動車のドライブシャフトＳに駆動力を伝達する。
【００２８】
偏心量調節機構４はそれぞれ駆動力入力部であり、入力軸２の回転中心軸線Ｐ１を中心として回転するように設けられ、カム部としてのカムディスク５と、偏心部材としての偏心ディスク６と、ピニオンシャフト７とを有する。
【００２９】
カムディスク５は、円盤形状であり、入力軸２の回転中心軸線Ｐ１から偏心して入力軸２と一体的に回転するように入力軸２に２個１組で設けられている。各１組のカムディスク５は、それぞれ位相を６０°異なるように設定され、６組のカムディスク５で入力軸２の周方向を一回りするように配置されている。
【００３０】
偏心ディスク６は、円盤形状であり、その中心Ｐ３から偏心した位置に受入孔６ａが設けられ、その受入孔６ａを挟むように、１組のカムディスク５が回転可能に支持されている。
【００３１】
偏心ディスク６の受入孔６ａは、その中心が、入力軸２の回転中心軸線Ｐ１からカムディスク５の中心Ｐ２（受入孔６ａの中心）までの距離Ｒａとカムディスク５の中心Ｐ２から偏心ディスク６の中心Ｐ３までの距離Ｒｂとが同一となるように形成されている。また、偏心ディスク６の受入孔６ａには、１組のカムディスク５に挟まれた内周面に、内歯６ｂが形成されている。
【００３２】
ピニオンシャフト７は、入力軸２の中空部内に、入力軸２と同心に配置され、ピニオン軸受７ｂを介して入力軸２の内周面に相対回転可能に支持されている。また、ピニオンシャフト７の外周面には、外歯７ａが設けられている。さらに、ピニオンシャフト７には、差動機構８が接続されている。
【００３３】
入力軸２における１組のカムディスク５の間には、カムディスク５の偏心方向に対向する箇所に内周面と外周面とを連通させる切欠孔２ａが形成されており、この切欠孔２ａを介して、ピニオンシャフト７の外歯７ａは、偏心ディスク６の受入孔６ａの内歯６ｂと噛合している。
【００３４】
差動機構８は、遊星歯車機構であり、サンギヤ９と、入力軸２に連結された第１リングギヤ１０と、ピニオンシャフト７に連結された第２リングギヤ１１と、サンギヤ９及び第１リングギヤ１０と噛合する大径部１２ａと、第２リングギヤ１１と噛合する小径部１２ｂとからなる段付きピニオン１２を自転及び公転可能に軸支するキャリア１３とを有している。また、差動機構８のサンギヤ９は、ピニオンシャフト７の駆動用の電動機（モータ）からなる偏心駆動部１４（偏心量調節用駆動源）の回転軸１４ａに連結されている。
【００３５】
そして、この偏心駆動部１４の回転速度を入力軸２の回転速度と同一にした場合、サンギヤ９と第１リングギヤ１０とが同一速度で回転することとなり、サンギヤ９、第１リングギヤ１０、第２リングギヤ１１及びキャリア１３の４つの要素が相対回転不能なロック状態となって、第２リングギヤ１１と連結するピニオンシャフト７が入力軸２と同一速度で回転する。
【００３６】
また、偏心駆動部１４の回転速度を入力軸２の回転速度よりも遅くした場合、サンギヤ９の回転数をＮｓ、第１リングギヤ１０の回転数をＮＲ１、サンギヤ９と第１リングギヤ１０のギヤ比（第１リングギヤ１０の歯数／サンギヤ９の歯数）をｊとすると、キャリア１３の回転数が（ｊ・ＮＲ１＋Ｎｓ）／（ｊ＋１）となる。また、サンギヤ９と第２リングギヤ１１のギヤ比（（第２リングギヤ１１の歯数／サンギヤ９の歯数）×（段付きピニオン１２の大径部１２ａの歯数／小径部１２ｂの歯数））をｋとすると、第２リングギヤ１１の回転数が｛ｊ（ｋ＋１）ＮＲ１＋（ｋ−ｊ）Ｎｓ｝／｛ｋ（ｊ＋１）｝となる。
【００３７】
したがって、偏心駆動部１４の回転速度を入力軸２の回転速度よりも遅くした場合であって、カムディスク５が固定された入力軸２の回転速度とピニオンシャフト７の回転速度とが同一である場合には、偏心ディスク６はカムディスク５と共に一体に回転する。一方で、入力軸２の回転速度とピニオンシャフト７の回転速度とに差がある場合には、偏心ディスク６はカムディスク５の中心Ｐ２を中心にカムディスク５の周縁を回転する。
【００３８】
図２に示すように、偏心ディスク６は、カムディスク５に対して、Ｐ１からＰ２までの距離ＲａとＰ２からＰ３までの距離Ｒｂとが同一となるように偏心されている。そのため、偏心ディスク６の中心Ｐ３を入力軸２の回転中心軸線Ｐ１と同一線上に位置させて、入力軸２の回転中心軸線Ｐ１と偏心ディスク６の中心Ｐ３との距離、すなわち、偏心量Ｒ１を「０」にすることもできる。
【００３９】
偏心ディスク６の外縁部には、コネクティングロッド１５が回転可能に支持されている。コネクティングロッド１５は、一方の端部に大径の大径環状部１５ａを有し、他方の端部に小径の小径環状部１５ｂを有している。コネクティングロッド１５の大径環状部１５ａは、コンロッド軸受１６を介して偏心ディスク６の外縁部に支持されている。
【００４０】
出力軸３には、一方向回転阻止機構としての一方向クラッチ１７（ワンウェイクラッチ）を介して、揺動リンク１８が連結されている。一方向クラッチ１７は、出力軸３の回転中心軸線Ｐ４を中心として一方側に回転しようとする場合に出力軸３に対して揺動リンク１８を固定し、他方側に回転しようとする場合に出力軸３に対して揺動リンク１８を空転させる。
【００４１】
揺動リンク１８には、揺動端部１８ａが設けられ、揺動端部１８ａには、小径環状部１５ｂを軸方向で挟み込むことができるように形成された一対の突片１８ｂが設けられている。一対の突片１８ｂには、小径環状部１５ｂの内径に対応する貫通孔１８ｃが穿設されている。貫通孔１８ｃ及び小径環状部１５ｂに連結ピン１９が挿入されることによって、コネクティングロッド１５と揺動リンク１８とが連結されている。また、揺動リンク１８には、環状部１８ｄが設けられている。
【００４２】
＜てこクランク機構＞
次に、図２〜図４Ａ−図４Ｃを参照して、本実施形態の無段変速機のてこクランク機構について説明する。
【００４３】
図２に示すように、本実施形態の無段変速機１において、偏心量調節機構４と、コネクティングロッド１５と、揺動リンク１８とが、てこクランク機構２０（四節リンク機構）を構成している。
【００４４】
てこクランク機構２０によって、入力軸２の回転運動は、出力軸３の回転中心軸線Ｐ４を中心とする揺動リンク１８の揺動運動に変換される。本実施形態の無段変速機１は、図１に示すように、合計６個のてこクランク機構２０を備えている。
【００４５】
てこクランク機構２０では、偏心量調節機構４の偏心量Ｒ１が「０」でない場合に、入力軸２とピニオンシャフト７を同一速度で回転させると、各コネクティングロッド１５が６０度ずつ位相を変えながら、入力軸２と出力軸３との間で出力軸３側に押したり、入力軸２側に引いたりを交互に繰り返して、揺動リンク１８を揺動させる。
【００４６】
そして、揺動リンク１８と出力軸３との間には一方向クラッチ１７が設けられているので、揺動リンク１８が押された場合には、揺動リンク１８が固定されて出力軸３に揺動リンク１８の揺動運動によるトルクが伝達されて出力軸３が回転し、揺動リンク１８が引かれた場合には、揺動リンク１８が空回りして出力軸３に揺動リンク１８の揺動運動によるトルクが伝達されない。６つの偏心量調節機構４は、それぞれ６０度ずつ位相を変えて配置されているので、出力軸３は６つの偏心量調節機構４により順に回転駆動される。
【００４７】
また、本実施形態の無段変速機１では、図３の３ａ−図３の３ｄに示すように、偏心量調節機構４によって偏心量Ｒ１が調節可能である。
【００４８】
図３の３ａは、偏心量Ｒ１を「最大」とした状態を示し、入力軸２の回転中心軸線Ｐ１とカムディスク５の中心Ｐ２と偏心ディスク６の中心Ｐ３とが一直線に並ぶように、ピニオンシャフト７と偏心ディスク６とが位置する。この場合の変速比ｉは最小となる。図３の３ｂは、偏心量Ｒ１を図３の３ａよりも小さい「中」とした状態を示し、図３の３ｃは、偏心量Ｒ１を図３の３ｂよりも更に小さい「小」とした状態を示している。変速比ｉは、図３の３ｂでは図３の３ａの変速比ｉよりも大きい「中」となり、図３の３ｃでは図３の３ｂの変速比ｉよりも大きい「大」とした状態を示している。図３の３ｄは、偏心量Ｒ１を「０」とした状態を示し、入力軸２の回転中心軸線Ｐ１と、偏心ディスク６の中心Ｐ３とが同心に位置する。この場合の変速比ｉは無限大（∞）となる。
【００４９】
図４Ａ−図４Ｃは、本実施形態の偏心量調節機構４による偏心量Ｒ１の変化と、揺動リンク１８の揺動運動の揺動角度範囲の関係を示している。
【００５０】
図４Ａは偏心量Ｒ１が図３の３ａの「最大」である場合（変速比ｉが最小である場合）、図４Ｂは偏心量Ｒ１が図３の３ｂの「中」である場合（変速比ｉが中である場合）、図４Ｃは偏心量Ｒ１が図３の３ｃの「小」である場合（変速比ｉが大である場合）の、偏心量調節機構４の回転運動に対する揺動リンク１８の揺動範囲θ２を示している。ここで、出力軸３の回転中心軸線Ｐ４からコネクティングロッド１５と揺動端部１８ａの連結点、すなわち、連結ピン１９の中心Ｐ５までの距離が、揺動リンク１８の長さＲ２である。
【００５１】
図４Ａ−図４Ｃから明らかなように、偏心量Ｒ１が小さくなるのに伴い、揺動リンク１８の揺動角度範囲θ２が狭くなり、偏心量Ｒ１が「０」になった場合には、揺動リンク１８は揺動しなくなる。
【００５２】
[第１実施形態]
＜変速制御装置の構成＞
次に、本実施形態の変速制御装置５０の構成を説明する。変速制御装置５０は、偏心駆動部１４と、モータドライバ５４と、偏心駆動部１４の回転角を検出する回転角検出部５５と、偏心量マップを記憶する偏心量マップ記憶部５１と、揺動角検出部５２と、偏心制御部５３と、を有する。
【００５３】
揺動角検出部５２は変速機ケース３０に固定され、揺動リンク１８の環状部に対向して配置されている。揺動角検出部５２は揺動リンク１８までの距離に基づき揺動リンク１８の揺動角を検出することが可能である。揺動角検出部５２は、ギャップ（ＧＡＰ）センサなどで構成することが可能である。
【００５４】
回転角検出部５５は偏心駆動部１４の回転角を検出することが可能であり、回転角検出部５５はエンコーダやレゾルバにより構成することができる。
【００５５】
偏心制御部５３は、回転角検出部５５から偏心駆動部１４の回転角を取得し、モータドライバ５４を介して偏心駆動部１４を制御することが可能である。また、偏心制御部５３は、偏心機構（４〜１３）の偏心量Ｒ１がゼロとなる、ギヤニュートラル（ＧＮ）を決定する学習制御（ＧＮ学習制御）を行い、決定したＧＮに基づき偏心駆動部１４の回転を制御することが可能である。
【００５６】
偏心駆動部１４（偏心量調節用駆動源）は、偏心機構（４〜１３）の偏心量Ｒ１をゼロから最大値（偏心駆動部１４の回転角：±１８０°）の間で自在に調整可能なアクチュエータ（モータ）である。
【００５７】
偏心駆動部１４の回転に応じて偏心機構（４〜１３）の偏心量Ｒ１が変化する。偏心機構（４〜１３）の偏心量Ｒ１に応じて往復運動するコネクティングロッド１５により揺動リンク１８は揺動する。偏心量Ｒ１の変化に応じて揺動リンク１８の揺動角も変化する。揺動リンク１８の揺動角は揺動角検出部５２により検出され、偏心制御部５３に入力される。
【００５８】
図１１Ａ−図１１Ｂは、駆動源の回転軸に接続された入力軸側の回転運動と、出力軸側の揺動リンク１８の揺動運動を例示的に説明する図である。図１１Ａは、図４Ａ−図４Ｃで説明した四節リンクの構成で、揺動リンク１８の近傍に揺動角検出部５２が配置されている構成を例示する図である。尚、揺動角検出部５２の配置は、図示の位置に限定されるものではなく、揺動リンク１８近傍の異なる位置に配置してもよいし、複数個所に揺動角検出部５２を配置してもよい。図１１Ｂは、偏心駆動部１４の回転角（位相）と揺動リンク１８の揺動角との関係を例示する図であり、偏心量Ｒ１が異なれば、検出される揺動角も異なるものとなる。
【００５９】
偏心機構（４〜１３）を構成する偏心量調節機構４は、それぞれ６０度ずつ位相を変えて６つの配置されており、この位相により、一方向クラッチ１７（ワンウェイクラッチ：ＯＷＣ）ごとに、入力軸側の偏心駆動部１４の回転角（位相）と揺動リンク１８の揺動角との関係は、異なる波形パターンを示す。図１１Ｂでは、６つのワンウェイクラッチ（ＯＷＣ）のうち任意のＯＷＣ１１１の波形を実線で示し、６０度位相の異なるＯＷＣ１１６の波形を破線で示している。
【００６０】
偏心量マップ記憶部５１に記憶されている偏心量マップ６００は、偏心機構（４〜１３）の偏心量Ｒ１と、偏心駆動部１４の回転角と、揺動リンク１８の揺動角との関係を示すものである。偏心量マップ６００は、偏心量Ｒ１と揺動角との機械的な関係より理論値を求めることが可能であり、既知の情報として偏心量マップ記憶部５１に記憶されている。
【００６１】
図６は偏心量マップ６００を例示する図であり、縦軸は揺動リンク１８の揺動角を示し、横軸は偏心駆動部１４の回転角および偏心機構（４〜１３）の偏心量Ｒ１を示す。偏心量Ｒ１は偏心駆動部１４の回転角に対応するものであり、偏心量マップ６００上で偏心量Ｒ１がゼロとなる回転角がギヤニュートラル（ＧＮ）点となる。
【００６２】
偏心量マップ６００は、偏心駆動部１４を第１方向（正方向）へ回転制御することで揺動角が増大する正領域と、偏心駆動部１４を第１方向と逆方向の第２方向（負方向）へ回転制御することで揺動量が増大する負領域と、を有する。正領域において、四節リンクの入力軸側のリンクは「くの字」形状となり（図６の６０２）、負領域において、四節リンクの入力軸側のリンクは「逆くの字」形状となる（図６の６０１）。正領域と負領域との境界で、入力軸２の回転中心軸線Ｐ１と、偏心ディスク６の中心Ｐ３とが同心に位置する。すなわち、入力軸側のリンクの節点間（Ｐ１とＰ３との間）の距離はゼロ（Ｒ１＝０）となり、揺動角はゼロとなる。
【００６３】
偏心量調節機構４は、上述のように、それぞれ６０度ずつ位相を変えて配置されている。これに対応して、それぞれの偏心量調節機構４に対応する偏心量マップ６００も同様の位相をもって、偏心量マップ記憶部５１に記憶されている（図６の６０３、６０４）。
【００６４】
偏心制御部５３は、偏心駆動部１４の回転角と、揺動角検出部５２の検出結果（揺動角）と、偏心量マップ６００とを用いて、偏心機構（４〜１３）の偏心量Ｒ１がゼロとなる偏心駆動部１４のギヤニュートラル（ＧＮ）点を決定する（ＧＮ学習制御）。ＧＮ学習制御の詳細は後に図８を用いて説明する。
【００６５】
無段変速機１が駆動状態のときには、ＧＮ学習制御の処理が途中で中断される可能性があるので、偏心制御部５３は、無段変速機１が非駆動状態のときに、偏心量がゼロとなる偏心駆動部１４の回転角度を決定する。
【００６６】
＜イグニッション（ＩＧ）オンシーケンス＞
次に、ＧＮ学習制御の前に実行するイグニッション（ＩＧ）オンシーケンスについて説明する。ＧＮ学習制御においては、偏心駆動部１４を回転駆動させることが必要となる。この際に、偏心機構（４〜１３）を介してドライバ（運転者）の意図しない動きが出力軸３に伝達することがないように、フェイルセーフの観点で、偏心制御部５３は以下に説明する条件判断がクリアされた場合にのみＧＮ学習制御を実行する。
【００６７】
図７は、イグニッション（ＩＧ）オンシーケンスの流れを説明する図である。ステップＳ７１で、偏心制御部５３は、イグニッション（ＩＧ）オン信号がオン（ＯＮ）であるか否かを判定する。本ステップにより、偏心制御部５３は、ＧＮ学習制御を実行する前に、ドライバが車両を動かす意図をもって操作しているか否かを確認する。ＩＧオン信号がオン（ＯＮ）でない場合（Ｓ７１−Ｎｏ）、偏心制御部５３はＩＧオン信号＝オフ（ＯＦＦ）と判定し（Ｓ７６）、処理を終了する。この場合、偏心制御部５３はＧＮ学習制御を行わない。
【００６８】
一方、ステップＳ７１の判定で、イグニッション（ＩＧ）オン信号がオン（ＯＮ）である場合（Ｓ７１−Ｙｅｓ）、処理をステップＳ７２に進める。
【００６９】
ステップＳ７２で、偏心制御部５３は、出力軸３と車輪Ｗが切断されているシフトポジションであるか否かを判定する。ここで、切断されているシフトポジションとはクラッチＣが切断状態であることをいう。ＧＮ学習制御を実行して偏心駆動部１４を回転駆動させたときに、偏心機構（４〜１３）を介してドライバの意図しない動きが出力軸３を介して車輪Ｗに伝達することがないように、フェイルセーフの観点で判定処理を行うものである。偏心制御部５３は、クラッチＣの動作状態を示す制御信号を受信して、クラッチＣが切断された状態であるか否かを判定する。制御信号としては、例えば、クラッチＣの動作を司る制御部からのフィードバック信号を用いることが可能である。ステップＳ７２の判定処理で、偏心制御部５３はクラッチＣが切断されておらず、出力軸３と車輪Ｗが切断されていないと判定した場合（Ｓ７２−Ｎｏ）、処理をステップＳ７５に進める。
【００７０】
ステップＳ７５で、偏心制御部５３は通常の停車状態と判定し、前回のＧＮ学習制御の結果を基準として、偏心量Ｒ１＝０となる回転角を偏心駆動部１４のモータドライバ５４に設定し、処理を終了する。この場合、偏心制御部５３はＧＮ学習制御を行わない。
【００７１】
一方、ステップＳ７２の判定処理で、偏心制御部５３はクラッチＣが切断状態であり、出力軸３と車輪Ｗが切断されていると判定した場合（Ｓ７２−Ｙｅｓ）、処理をステップＳ７３に進める。
【００７２】
ステップＳ７３で、偏心制御部５３は、ＧＮ学習許可フラグの設定を確認する。ＧＮ学習許可フラグは、ＧＮ学習制御の実行可否を判定するための情報であり、偏心制御部５３はＧＮ学習許可フラグを、ＧＮ学習制御の頻度や、エンジン停止後の経過時間などに応じて設定することが可能である。例えば、ＧＮ学習制御をエンジン始動の際に毎回行うのではなく、例えば、ＧＮ学習制御をＮ回（Ｎは自然数）に１回行うようにＧＮ学習許可フラグを設定することができる。また、エンジン停止後の経過時間が所定の閾値時間未満の場合はＧＮ学習制御を行わず、経過時間が所定の閾値時間以上となった場合にＧＮ学習制御を行うように設定することができる。
【００７３】
ステップＳ７３の判定で、ＧＮ学習許可フラグが許可を示していない場合（Ｓ７３−Ｎｏ）、処理をステップＳ７５に進め、偏心制御部５３は通常の停車状態と判定し、前回のＧＮ学習制御の結果を基準として、偏心量Ｒ１＝０となる回転角を偏心駆動部１４のモータドライバ５４に設定し、処理を終了する。この場合、偏心制御部５３はＧＮ学習制御を行わない。
【００７４】
一方、ステップＳ７３の判定で、ＧＮ学習許可フラグが許可を示している場合（Ｓ７３−Ｙｅｓ）、処理をステップＳ７４に進める。
【００７５】
そして、ステップＳ７４で、偏心制御部５３はＧＮ学習制御を行う。ＧＮ学習制御の詳細は、図８を用いて説明する。
【００７６】
＜ＧＮ学習制御＞
図８はＧＮ学習制御の流れを説明する図である。まず、ステップＳ８１で、偏心制御部５３は、初期値のＲ１の領域が偏心量マップ６００の正領域にあるか負領域にあるかを判定する（Ｒ１領域（正領域／負領域）判定処理）。
【００７７】
回転角検出部５５の検出結果はモータドライバ５４の電源オフによりクリアされため、回転角検出部５５は、モータドライバ５４の電源ＯＮ時の回転角をゼロと認識する。モータドライバ５４の電源ＯＮ時の偏心駆動部１４の状態を初期値とする。揺動リンク１８の揺動角は揺動角検出部５２により検出され、既知の値となるが、モータドライバ５４の電源ＯＮ時に偏心制御部５３は初期値のＲ１が正領域および負領域のいずれの意領域に含まれるかを特定することはできない。
【００７８】
以下の説明では、図６の偏心量マップ６００上で初期値は負領域のＰＰ１として以下の処理を説明する。図６では初期値が負領域にある場合を例として示しているが、本発明の趣旨はこの例に限定されるものではなく、初期値が正領域に含まれる場合でも同様の方法を適用することが可能である。
【００７９】
モータドライバ５４の電源ＯＮ時において、初期値の偏心量Ｒ１が正領域、または負領域のいずれかの領域の値であるかを特定するため、以下のシーケンスで偏心量Ｒ１の領域判定を行う。偏心制御部５３は偏心駆動部１４を駆動して、偏心機構（４〜１３）を駆動させ、揺動角検出部５２は偏心機構（４〜１３）により揺動する揺動リンク１８の揺動角を検出する。
【００８０】
例えば、初期値の偏心量Ｒ１が、正領域にある場合に、偏心駆動部１４を第１方向（例えば、正方向）へ回転するように制御すると、揺動リンク１８の揺動角は増加する。一方、正領域において、偏心駆動部１４を第２方向（例えば、負方向）へ回転するように制御した場合に、揺動リンク１８の揺動角は減少する。
【００８１】
また、初期値の偏心量Ｒ１が、例えば、図６に示す偏心量マップ６００のように負領域にある場合（ＰＰ１）に、偏心駆動部１４を第２方向（例えば、負方向）へ回転するように制御すると、揺動リンク１８の揺動角は増加する。一方、負領域において、偏心駆動部１４を第１方向（例えば、正方向）へ回転するように制御した場合に、揺動リンク１８の揺動角は減少する。
【００８２】
偏心制御部５３は、揺動角検出部５２の検出結果を取得して、偏心駆動部１４の回転角度の回転方向に対する揺動角の増減で初期値が正領域の値であるか、負領域の値であるかを決定する。
【００８３】
偏心制御部５３は、偏心駆動部１４を第１方向へ回転制御することで揺動角が増大すれば正領域と判定し、偏心駆動部１４を第１方向と逆方向の第２方向へ回転制御することで揺動量が増大すれば負領域と判定する。
【００８４】
あるいは、正負の逆の関係により、偏心制御部５３は、偏心駆動部１４を第１方向へ回転制御することで揺動角が減少すれば負領域と判定し、偏心駆動部１４を第２方向へ回転制御することで揺動量が減少すれば正領域と判定する。
【００８５】
この領域判定により、偏心制御部５３は初期値の偏心量Ｒ１が正領域、または負領域のいずれかの領域の値であるかを決定する。
【００８６】
次に、ステップＳ８２で、偏心制御部５３は、揺動角検出部５２および回転角検出部５５の検出結果を用いて、正領域における揺動角と、負領域における揺動角とが同じ揺動角となる２つの回転角（偏心量Ｒ１）を探索する。
【００８７】
ギヤニュートラル（ＧＮ）点は、偏心量マップ６００において負領域と正領域との境界である。初期値が負領域にある場合、偏心制御部５３は、負領域から境界を越えて正領域内の任意の回転角まで、偏心駆動部１４を第１方向（正方向）に回転させる。この時、偏心制御部５３は、揺動角検出部５２で検出された揺動角（図６のｐに対応する）と、回転角検出部５５で検出された偏心駆動部１４の回転角（図６のａに対応する）とを記憶する。このときの揺動角ｐと回転角ａは図６のＰＰ２（第１値）に対応するものである。
【００８８】
次に、偏心制御部５３は、偏心駆動部１４を逆方向に回転させて、正領域（ＰＰ２）から境界を越えて負領域内まで、偏心駆動部１４を第２方向（負方向）に回転させる。このとき、偏心制御部５３は、ＰＰ２の検出において揺動角検出部５２で検出された揺動角ｐと同じ揺動角ｐとなる偏心駆動部１４の回転角ｂを探索し、記憶する。このときの、揺動角ｐと回転角ｂは図６のＰＰ３（第２値）に対応するものである。
【００８９】
図９の９ａは偏心駆動部１４の回転角の計測例を示し、図９の９ｂは揺動角の計測例を示す図である。図９の９ａにおいて縦軸を回転角としているが、回転角は偏心量Ｒ１と対応するものである。正領域側の偏心駆動部１４の回転角がａ（図９の９ａ）となり、揺動角がｐ（図９の９ｂ）に整定する位置で図６に示したＰＰ２点が検出される。この位置は、図６の偏心量マップの正領域で検出されたＰＰ２点である。
【００９０】
ＰＰ２点が検出された後、偏心制御部５３は偏心駆動部１４を正方向から負方向に逆回転させる。このとき、図９の９ａの回転角はＰＰ２点の回転角から減少していき、負領域側の偏心駆動部１４の回転角がｂ（図９の９ａ）となり、揺動角がｐ（図９の９ｂ）に整定する位置でＰＰ３点が検出される。この位置は、図６の偏心量マップの正領域で検出されたＰＰ３点である。
【００９１】
ステップＳ８３で、偏心制御部５３は、ＰＰ２（第１値）およびＰＰ３（第２値）における揺動角（ｐ）と回転角（ａ、ｂ）を、偏心量マップ６００にあてはめ、負領域と正領域との境界を決定する。ここで、偏心制御部５３は、検出された２つの回転角（ａ、ｂ）の中点の回転角を、偏心量Ｒ１がゼロとなるギヤニュートラル（ＧＮ）点として算出することが可能である。負領域と正領域との境界は、図６のＰＰ４点に対応する。
【００９２】
尚、それぞれ６０度ずつ位相を変えて配置されている６つの偏心機構（４〜１３）について、ギヤニュートラル（ＧＮ）点の位置がずれる可能性がるため、それぞれの偏心機構（４〜１３）について、ステップＳ８１、Ｓ８２およびＳ８３の処理を行う。偏心制御部５３は、それぞれの偏心機構（４〜１３）について検出された回転角の中点を、偏心量Ｒ１がゼロとなるギヤニュートラル（ＧＮ）点として設定することも可能である。
【００９３】
ステップＳ８４で、偏心制御部５３は、先のステップＳ８３で求めたギヤニュートラル（ＧＮ）点をモータドライバ５４に設定するよう指令を出力する。この指令を受けたモータドライバ５４は、ＧＮへの移動処理により、ギヤニュートラル（ＧＮ）点の位置（回転角：図６のＰＰ４）に合わせるように偏心駆動部１４を回転させる。
【００９４】
図９の９ａにおいて、偏心駆動部１４の回転角は、負領域側の回転角ｂから正方向に増加していき、ギヤニュートラル（ＧＮ）点であるＰＰ４まで回転する。図９の９ｂの揺動角はｐから減少していきゼロとなる。揺動角がゼロとなるときの偏心駆動部１４の回転角は、ギヤニュートラル（ＧＮ）点であるＰＰ４に対応するものである。
【００９５】
本実施形態によれば、バックラッシュやシャフトの捻じれ等の影響を受けずに、ギヤニュートラルを精度良く求めることが可能な変速制御装置の提供が可能になる。
【００９６】
＜変形例＞
尚、偏心量マップ６００では、真のギヤニュートラル（ＧＮ）点に対して、正領域と負領域とでは、同じ相関関係（符号のみが逆となる関係）を有することが確認されている。そのため、一方の領域について、回転角と揺動角との計測値を求めることができれば、偏心制御部５３は、偏心量マップを用いて、他方の領域についての回転角を取得することも可能である。
【００９７】
図８のステップＳ８２では、同じ揺動角となる２つの回転角（偏心量Ｒ１）を探索する処理を説明したが、ステップＳ８２の処理の変形例として、以下のようにしてもよい。例えば、偏心制御部５３は、図６のＰＰ２点について検出された揺動角（ｐ）と回転角（ａ）とを偏心量マップ６００にあてはめ（図６のＰＰ２点）、回転角（ａ）について符号を逆とする回転角（負領域の回転角ａ）を、図６のＰＰ３点の回転角として取得する。
【００９８】
そして、図８のステップＳ８３の処理の変形例として、偏心制御部５３は、検出された１つの回転角（ａ）と、偏心量マップ６００を用いて取得された負領域の回転角（ａ）の中点の回転角を、偏心量Ｒ１がゼロとなるギヤニュートラル（ＧＮ）点として決定することも可能である。
【００９９】
図１０Ａは偏心駆動部１４の回転角の計測例を示し、図１０Ｂは揺動角の計測例を示す図である。図１０Ａにおいて縦軸を回転角としているが、回転角は偏心量Ｒ１と対応するものである。正領域側の偏心駆動部１４の回転角がａ（図１０Ａ）となり、揺動角がｐ（図１０Ｂ）に整定する位置でＰＰ２点が検出される。この位置は、図６の偏心量マップの正領域で検出されたＰＰ２点である。ＰＰ２点が検出された後、偏心制御部５３は、偏心量マップ６００を参照して、検出された回転角ａについて符号を逆にした回転角（負領域の回転角ａ）を、図６のＰＰ３点の回転角として取得する。
【０１００】
そして、偏心制御部５３は、検出された回転角ａ（正領域）と、偏心量マップ６００を用いて取得された回転角ａ（負領域）の中点の回転角を、偏心量Ｒ１がゼロとなるギヤニュートラル（ＧＮ）として決定する（ＰＰ４）。
【０１０１】
バックラッシュの影響が小さい場合に、上記の処理ステップによれば、ギヤニュートラル（ＧＮ）点を迅速に求めることが可能になる。
【０１０２】
第１実施形態の変速制御装置の構成では、エンジンやモータ等の走行駆動源の起動時にＧＮ学習制御を行う構成を説明したが、走行駆動源の終了時に、ＧＮ学習制御を行うことも可能である。この場合、走行駆動源の振動などの影響を受けることなく、偏心制御部５３は精度良くギヤニュートラル（ＧＮ）点を決定することが可能になる。決定したギヤニュートラル（ＧＮ）点により無段変速機１の制御を適切に行うことが可能になる。
【０１０３】
［第２実施形態］
本実施形態では、車両の停止状態において、偏心駆動部１４の回転角をギヤニュートラル（ＧＮ）点から進角させた待機状態にするための待機制御値の設定と、エンジン制御モードを選択するための操作部（ＥＣＯＮボタン）のオン・オフに応じて待機制御値の設定を切り替える構成を説明する。
【０１０４】
図１２は本実施形態の変速制御装置５６の構成を説明する図であり、図５で説明した変速制御装置５０の構成と同様の構成については、同一の参照番号を付し、説明を省略する。
【０１０５】
偏心制御部５３は、第１実施形態で説明したように、偏心駆動部１４の回転角と、揺動角検出部５２の検出結果（揺動角）と、偏心量マップ６００とを用いて、偏心機構（４〜１３）の偏心量Ｒ１がゼロとなる偏心駆動部１４のギヤニュートラル（ＧＮ）を決定する。ＧＮ学習制御の際に、偏心制御部５３は偏心駆動部１４の回転角と、揺動角検出部５２の検出結果（揺動角）を記憶しておき、偏心量マップ６００に格納されている理論値との差分によりバックラッシュ量を算出することが可能である。
【０１０６】
そして、車両停止状態において、偏心制御部５３は、偏心駆動部１４の回転角をギヤニュートラル（ＧＮ）から回転させた待機状態にする。ギヤニュートラル（ＧＮ）からの偏心駆動部１４の回転角（偏心量Ｒ１）の増加分が待機制御値である。
【０１０７】
待機制御値を偏心機構４〜１３のバックラッシュを相殺する分の回転角として設定すれば、車両停止状態から走行状態に移行する際、偏心機構（４〜１３）のバックラッシュの影響を低減することができる。バックラッシュの検出については後に図１６Ａ−図１６Ｂを参照して詳細に説明する。
【０１０８】
本実施形態の変速制御装置５６は操作入力判定部５７を更に備える。操作部（ＥＣＯＮボタン）を介して燃料の消費を抑えるエンジン制御モードが選択された場合、操作部（ＥＣＯＮボタン）から操作入力判定部５７にＥＣＯＮモードオン信号が入力される。
【０１０９】
操作入力判定部５７は、ＥＣＯＮモードオン信号の有無により、燃料の消費を抑えるエンジン制御モードが選択されたか否かを判定することが可能である。
【０１１０】
以下の説明では、エンジン制御モードが選択された状態をＥＣＯＮモードオンとし、エンジン制御モードが選択されていない状態をＥＣＯＮモードオフとする。
【０１１１】
操作入力判定部５７は判定の結果を偏心制御部５３に入力し、偏心制御部５３は入力された操作入力判定部５７の判定結果に応じて待機制御値の設定を切り替えて、偏心駆動部１４の回転角を制御する。待機制御値の設定の切り替えについては、後に図１４、図１５を参照して説明する。
【０１１２】
＜待機制御値を設定しない場合＞
待機制御値の設定および切り替えについて説明する前に、待機制御値を設定しない場合について説明する。この場合、偏心駆動部１４は偏心制御ぶ５３の制御によりギヤニュートラル（ＧＮ）を起点として回転する。
【０１１３】
図１３は、偏心駆動部１４の回転角と、偏心量Ｒ１と出力軸トルクの関係を例示的に示す図である。車両停止状態において、偏心駆動部１４はＧＮ学習制御で学習したギヤニュートラル（ＧＮ）点に対応する回転角（偏心量Ｒ１＝０）で待機している。
【０１１４】
この状態で、アクセルペダル（ＡＰ）が踏まれて（ＡＰオン：時刻ｔ０）、偏心量Ｒ１を徐々に大きくしていく際、偏心機構（４〜１３）を構成するギヤにガタ（バックラッシュ）があるため、偏心駆動部１４が回転しても、４節リンク上の実際の偏心量Ｒ１が大きくなるまでにはタイムラグ（ガタ詰領域）がある。時刻ｔ０から時刻ｔ１の範囲で、偏心量Ｒ１は増加しない。
【０１１５】
バックラッシュが詰まり、時刻ｔ１から４節リンク上の実際の偏心量Ｒ１がゼロから徐々に大きくなると、それにつれて一方向クラッチ１７（ＯＷＣ）の揺動リンク１８の揺動角も大きくなる。図１３において、時刻ｔ１を超えると偏心量Ｒ１は増加していき、これに応じて出力軸トルクも増加する。時刻ｔ２まで、出力軸トルクは車両（タイヤ）の静止摩擦力以下であるため、車両は動き出さない。
【０１１６】
時刻ｔ２で、車両（タイヤ）の静止摩擦力に打ち勝てるだけの出力軸トルクに相当する揺動角に到達し、出力軸トルクは車両（タイヤ）の静止摩擦力を超え、車両が動き出す。この時点でドライバ（運転者）は車両の発進駆動力を体感することができる。
【０１１７】
アクセルペダルが踏まれてから偏心駆動部１４を回転させて、偏心量Ｒ１を大きくしていき、ドライバが車両の発進駆動力を体感できるまでには、偏心機構のガタ（バックラッシュ）と、静止摩擦力の乗り越しという観点で発進時の応答性が低下する可能性がある。
【０１１８】
車両停止状態において、偏心制御部５３は、待機制御値として、偏心機構（４〜１３）のガタ（バックラッシュ）を相殺する分だけ偏心駆動部１４の回転角を回転させておくことで、バックラッシュによる応答性の低下を改善することができる。
【０１１９】
また、車両停止状態において、偏心制御部５３は、待機制御値として、バックラッシュ分に加えて静止摩擦力とつりあう出力軸トルクを出力するように偏心駆動部１４の回転角を事前に回転させておくことも可能である。これにより、バックラッシュ及び静止摩擦力の乗り越しによる応答性の低下を改善することができる。
【０１２０】
＜バックラッシュの検出＞
偏心駆動部１４により偏心機構（４〜１３）を駆動する際に、正方向に回転する場合と負方向に回転する場合では偏心機構（４〜１３）を構成するギヤの片当たりにより生じるバックラッシュの方向は異なる。偏心機構（４〜１３）のガタ（バックラッシュ）を相殺する分の待機制御値を設定するために、偏心制御部５３は、ＧＮ学習制御の際に、偏心駆動部１４の回転角と、揺動角検出部５２の検出結果（揺動角）を内部メモリに記憶しておく。偏心量マップ６００には、偏心制御部５３からの制御値に対する偏心量（回転角）と揺動角の関係の理論値が格納されており、理論値と検出結果の差分を求めることによりバックラッシュを求めることができる。
【０１２１】
図１６Ａは偏心量マップ６００上におけるバックラッシュを例示的に示す図である。偏心量マップ６００の縦軸は揺動リンク１８の揺動角を示し、横軸は偏心駆動部１４の回転角および偏心機構（４〜１３）の偏心量Ｒ１を示す。偏心量Ｒ１は偏心駆動部１４の回転角に対応するものである。図１６Ａにおいて、実線１６１は偏心量（回転角）と揺動角の理論値を示している。δは理論偏心量±バックラッシュ量を示している。
【０１２２】
一点鎖線１６２は初期値ＰＰ１（負領域）からＰＰ２点（正領域）に向けて偏心駆動部１４を正方向に回転させた場合に生じるバックラッシュを加味した偏心量と揺動角の関係を示している。一点鎖線１６２で示される偏心量と揺動角の関係は理論値に対してバックラッシュ量が加算された値として検出される。
【０１２３】
二点鎖線１６３はＰＰ２点（正領域）からＰＰ３点（負領域）に向けて偏心駆動部１４を負方向に逆回転させた場合に生じるバックラッシュを加味した偏心量と揺動角の関係を示している。二点鎖線１６３で示される偏心量と揺動角の関係は理論値に対してバックラッシュ量が減算された値として検出される。
【０１２４】
図１６Ｂは偏心駆動部１４が回転する場合の理論回転角と回転角の計測例を示す図である。図１６Ｂにおいて、実線１７１は回転角の理論値を示している。
【０１２５】
一点鎖線１７２は、図１６Ａに示したＰＰ１点からＰＰ２点へ向けて、偏心駆動部１４が回転する場合の回転角を示し、理論値（実線１７１）に対してバックラッシュ量が加算された値として検出される。
【０１２６】
二点鎖線１７３は、図１６Ａに示したＰＰ２点からＰＰ３点へ向けて、偏心駆動部１４が逆方向に回転する場合の回転角を示し、理論値（実線１７１）に対してバックラッシュ量が減算された値として検出される。
【０１２７】
ＧＮ学習制御のステップＳ８２（図８）で、偏心制御部５３は、正領域における揺動角と、負領域における揺動角とが同じ揺動角となる２つの回転角（偏心量Ｒ１）を探索する。このとき、偏心制御部５３は、求めた２つの回転角（偏心量Ｒ１）について理論値との差分を求める。図１６ＡのＰＰ２に対応する回転角（偏心量Ｒ１）と理論値との差分を求めることにより、ＰＰ１点からＰＰ２点に向けて偏心駆動部１４を回転させたときのバックラッシュ量を求めることができる。このバックラッシュ量は、図１６Ｂにおいて、理論値（実線１７１）と一点鎖線１７２との差分として示されるものである。
【０１２８】
また、図１６ＡのＰＰ３に対応する回転角（偏心量Ｒ１）と理論値との差分を求めることにより、ＰＰ２点からＰＰ３点に向けて偏心駆動部１４を回転させたときのバックラッシュ量を求めることができる。このバックラッシュ量は、図１６Ｂにおいて、理論値（実線１７１）と二点鎖線１７３との差分として示されるものである。
【０１２９】
一点鎖線１７４は、図１６Ａに示したＰＰ３点からＰＰ４点へ向けて偏心駆動部１４が回転する場合の回転角を示し、理論値（実線１７１）に対してバックラッシュ量が加算された値として検出される。ＰＰ４点に向けて偏心駆動部１４を回転させると、バックラッシュが加算された分（ＢＬ）だけ理論値からずれることになる。
【０１３０】
偏心制御部５３は理論値に対する現在のバックラッシュ（ＢＬ）を求め、偏心駆動部１４を回転させる方向に応じて待機制御値を設定する。例えば、ＰＰ４点から負方向に偏心駆動部１４の回転角を進角させる場合、車両の停止状態おいて、偏心駆動部１４の回転角をバックラッシュに対応する回転角だけ回転させておくことにより、図１３に示したガタ詰領域の影響による応答遅れを改善することができる。
【０１３１】
＜待機制御値を設定する場合＞
応答性の向上を図るため、本実施形態の偏心制御部５３は、ＥＣＯＮモードオンの場合と、ＥＣＯＮモードオフの場合で、待機制御値の設定を切り替えて、偏心駆動部１４の回転角の進角度合いを切り替える。
【０１３２】
本実施形態の偏心制御部５３による制御において、アクセルペダル（ＡＰ）オフ、ブレーキオフではギヤニュートラル（ＧＮ）とし、クリープレス設定を採用しているものとする。
【０１３３】
偏心制御部５３はシフトポジションを示すセレクタ信号を受信する。シフトポジションとしてＤレンジが選択されたことを示すセレクタ信号と、ブレーキオフを示すブレーキ信号とが偏心制御部５３に入力されると、偏心制御部５３は、ギヤニュートラル（ＧＮ）からクリープしない程度の偏心量Ｒ１に対応する回転角まで偏心駆動部１４を回転させる。
【０１３４】
ＥＣＯＮモードオンの場合に、偏心制御部５３は、偏心機構（４〜１３）のガタ（バックラッシュ）分に対応した回転角（偏心量Ｒ１）を待機制御値として設定する。偏心制御部５３は、ギヤニュートラル（ＧＮ）点から予め予測・測定されたガタ（バックラッシュ）に対応する回転角だけ偏心駆動部１４を回転させる。ＥＣＯＮモードオンではエンジンロスが極小となる。
【０１３５】
ＥＣＯＮモードオフの場合に、偏心制御部５３は、ギヤニュートラル（ＧＮ）点から、車両の静止摩擦力に対応する駆動力を出力軸３側に加えるための回転角だけ偏心駆動部１４を回転させる。すなわち、偏心制御部５３は、バックラッシュ分に対応した回転角１（偏心量ＲＲ１）と上乗せ分の回転角２（加算偏心量ｒ１）とを加算した回転角（＝回転角１＋回転角２）を待機制御値として設定する。加算した回転角（＝回転角１＋回転角２）は、偏心量Ｒ１（＝ＲＲ１＋ｒ１）に対応する。
【０１３６】
加算した回転角に応じて偏心駆動部１４を回転させることにより、静止摩擦力を乗り越えるための応答遅れを低減することができるため、ＥＣＯＮモードオフではＥＣＯＮモードオンの場合に比べて更なる応答性を確保することができる。
【０１３７】
＜ＥＣＯＮモードオンの場合＞
図１４は、ＥＣＯＮモードオンの場合の偏心制御部５３による偏心駆動部１４の回転制御を説明する図である。
【０１３８】
時刻Ｔ０でシフトポジションとしてＤレンジが選択されたことを示すセレクタ信号と、ブレーキオフを示すブレーキ信号とが偏心制御部５３に入力される。偏心制御部５３は、ギヤニュートラル（ＧＮ）から偏心機構（４〜１３）のバックラッシュに対応する回転角だけ偏心駆動部１４を回転させる。このときの回転角は、クリープしない程度の回転角である。バックラッシュに対応する回転角がギヤニュートラル（ＧＮ）からの偏心駆動部１４の回転角の増加分であり、待機制御値である。
【０１３９】
図１４では、偏心駆動部１４の回転角は、時刻Ｔ０から増加し始めて時刻Ｔ１まで増加する。この間の回転により、偏心駆動部１４のガタ（バックラッシュ）は詰められた状態になる。時刻Ｔ１からＴ２の間では、偏心駆動部１４の回転角は待機制御値で維持される。
【０１４０】
時刻Ｔ０からＴ２の間では偏心駆動部１４の回転により、ガタ（バックラッシュ）分が吸収されただけであり、４節リンク上の実際の偏心量Ｒ１はゼロのままで変化しない。
【０１４１】
時刻Ｔ２で、アクセルペダル（ＡＰ）が踏まれてＡＰ開度が増加するとエンジン回転数も増加する。偏心制御部５３は偏心駆動部１４の回転角を待機制御値から更に回転させる。偏心駆動部１４の回転に応じて偏心量Ｒ１も増加する。
【０１４２】
時刻Ｔ２で、４節リンク上の実際の偏心量Ｒ１がゼロから徐々に大きくなると、それに応じて一方向クラッチ１７（ＯＷＣ）の揺動リンク１８の揺動角も大きくなり、出力軸トルクも増加する。
【０１４３】
時刻Ｔ３で、出力軸トルクが静止摩擦力を超えると、実車速はゼロから増加し始める。アクセルペダル（ＡＰ）が踏まれて実車速が増加するまでの時間は（Ｔ３−Ｔ２）となり、バックラッシュに対応する回転角だけ偏心駆動部１４を回転させておくことで、図１３の時刻ｔ０〜ｔ１間に相当するガタ詰領域分の応答遅れを改善することが可能になる。
【０１４４】
＜ＥＣＯＮモードオフの場合＞
図１５は、ＥＣＯＮモードオフの場合の偏心制御部５３による偏心駆動部１４の回転制御を説明する図である。
【０１４５】
時刻Ｔ０でシフトポジションとしてＤレンジが選択されたことを示すセレクタ信号と、ブレーキオフを示すブレーキ信号とが偏心制御部５３に入力される。偏心制御部５３は、ギヤニュートラル（ＧＮ）から偏心機構（４〜１３）のバックラッシュに対応した回転角１（偏心量ＲＲ１）と上乗せ分の回転角２（加算偏心量ｒ１）とを加算した回転角（＝回転角１＋回転角２）だけ偏心駆動部１４を回転させる。ＥＣＯＮモードオフの場合では、加算した回転角（＝回転角１＋回転角２）が、ギヤニュートラル（ＧＮ）からの偏心駆動部１４の回転角の増加分であり、待機制御値である。加算した回転角に対応する偏心量Ｒ１によれば、車両の静止摩擦力に打ち勝てないレベルの駆動力を常にかけることが可能である。
【０１４６】
図１５では、偏心駆動部１４の回転角は、時刻Ｔ０から増加し始めて時刻Ｔｒ１まで増加する。この間の時刻Ｔ０からＴ１までの増加は偏心機構（４〜１３）のバックラッシュに対応した回転角１に対応する。
【０１４７】
時刻Ｔ１からＴｒ１までの偏心駆動部１４の回転角の増加は、上乗せ分の回転角２（加算偏心量ｒ１）に対応するものである。ガタ詰め分を超えた回転角２の増加に応じて、時刻Ｔ１では偏心量Ｒ１も増加し始める。
【０１４８】
４節リンク上の実際の偏心量Ｒ１がゼロから徐々に大きくなると、それにつれて一方向クラッチ１７（ＯＷＣ）の揺動リンク１８の揺動角も大きくなり、出力軸トルクも増加する。
【０１４９】
時刻Ｔｒ１からＴ２の間では、偏心駆動部１４の回転角は待機制御値で維持され、偏心量Ｒ１も維持される。また、このときの出力軸トルクは静止摩擦力と同レベルの値で維持される。
【０１５０】
時刻Ｔ２で、アクセルペダル（ＡＰ）が踏まれてＡＰ開度が増加するとエンジン回転数も増加する。偏心制御部５３は偏心駆動部１４の回転角を待機制御値から更に回転させる。偏心駆動部１４の回転に応じて偏心量Ｒ１も増加する。
【０１５１】
時刻Ｔ２で、偏心量Ｒ１の増加に従い出力軸トルクも増加する。時刻Ｔ２の時点で、出力軸トルクは静止摩擦力と同レベルの値で維持されているため、更なる出力軸トルクの増加に応じて、実車速はゼロから増加し始める。
【０１５２】
アクセルペダル（ＡＰ）が踏まれて実車速が増加するまでの時間は実質ゼロとなる。
【０１５３】
車両の停止状態で、車両の静止摩擦力に対応する駆動力を出力軸３側に加えるための回転角（＝回転角１＋回転角２）だけ偏心駆動部１４を回転させておくことで、図１３の時刻ｔ０〜ｔ２間に相当する応答遅れを解消することが可能になる。
【０１５４】
図１５において、一点鎖線はＥＣＯＮモードオンの波形を示すものであり、ＥＣＯＮモードオフではＥＣＯＮモードオンの場合に比べて実車速の立ち上がりが早くなる。ＥＣＯＮモードオフではＥＣＯＮモードオンの場合に比べて更なる応答性を確保することができる。
【０１５５】
本実施形態によれば、偏心機構のバックラッシュを加味してギヤニュートラルＧＮ点から回転角を進角させる待機制御値の設定を行うことが可能になる。また、エンジン制御モードを選択するための操作部（ＥＣＯＮボタン）のオン・オフに応じて待機制御値の設定を切り替えることが可能になる。
【０１５６】
本実施形態によれば、車両の発進時において、アクセルペダル（ＡＰ）オンからドライバが発進駆動力を体感できるまでの応答性（ドライバビリティ）の向上を図ることが可能になる。
【０１５７】
本発明は上記実施の形態に制限されるものではなく、本発明の精神及び範囲から離脱することなく、様々な変更及び変形が可能である。従って、本発明の範囲を公にするために、以下の請求項を添付する。
【０１５８】
本願は、２０１４年３月３１日提出の日本国特許出願特願２０１４−０７３６１４を基礎として優先権を主張するものであり、その記載内容の全てを、ここに援用する。
【図１】
2015151373.tif 000003
【図２】
2015151373.tif 000004
【図３】
2015151373.tif 000005
【図４Ａ】
2015151373.tif 000006
【図４Ｂ】
2015151373.tif 000007
【図４Ｃ】
2015151373.tif 000008
【図５】
2015151373.tif 000009
【図６】
2015151373.tif 000010
【図７】
2015151373.tif 000011
【図８】
2015151373.tif 000012
【図９】
2015151373.tif 000013
【図１０Ａ】
2015151373.tif 000014
【図１０Ｂ】
2015151373.tif 000015
【図１１Ａ】
2015151373.tif 000016
【図１１Ｂ】
2015151373.tif 000017
【図１２】
2015151373.tif 000018
【図１３】
2015151373.tif 000019
【図１４】
2015151373.tif 000020
【図１５】
2015151373.tif 000021
【図１６Ａ】
2015151373.tif 000022
【図１６Ｂ】
2015151373.tif 000023
【図１７Ａ】
2015151373.tif 000024
【図１７Ｂ】
2015151373.tif 000025
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
駆動源の回転軸に接続された入力軸（２）の回転を変速して出力軸（３）に伝達する無段変速機（１）が、
前記入力軸（２）の軸線からの偏心量が可変である偏心機構（４〜１３）と、
前記入力軸（２）と共に回転する入力側支点（Ｐ３）と、
前記出力軸（３）に接続されたワンウェイクラッチ（１７）と、
前記ワンウェイクラッチ（１７）の揺動リンク（１８）に設けられた出力側支点（Ｐ５）と、
前記入力側支点（Ｐ３）および前記出力側支点（Ｐ５）の両端に接続されて、前記偏心機構（４〜１３）の偏心量に応じて往復運動するコネクティングロッド（１９）と、
を備える無段変速機の変速制御装置であって、
ゼロから±１８０°の間で回転して前記偏心機構（４〜１３）の前記偏心量を調整可能な偏心駆動部（１４）と、
前記偏心量に応じて揺動する前記揺動リンク（１８）の揺動角を検出可能な揺動角検出部（５２）と、
前記偏心駆動部（１４）を第１方向へ回転することで前記揺動角が増大する正領域と、前記偏心駆動部（１４）を前記第１方向とは逆の第２方向へ回転することで前記揺動角が増大する負領域とを有し、前記正領域および前記負領域で前記揺動角と前記偏心駆動部（１４）の回転角とを対応づける偏心量マップ（６００）を記憶した偏心量マップ記憶部（５１）と、
前記揺動角検出部（５２）で検出された揺動角と前記偏心駆動部（１４）の回転角度とを前記偏心量マップにあてはめ、前記偏心量がゼロとなる前記偏心駆動部（１４）の回転角を決定し、前記回転角を用いて前記偏心駆動部（１４）を制御する偏心制御部（５３）と、を備え、
前記偏心制御部（５３）は、
前記偏心駆動部（１４）の初期値から前記偏心駆動部（１４）を回転させた場合の揺動角の変化により、前記初期値が前記正領域および前記負領域のいずれかに含まれるか判定し、
前記初期値が含まれる領域から他方の領域まで前記偏心駆動部（１４）を回転させた際の第１の回転角（ａ）と前記揺動リンク（１８）の揺動角（ｐ）を取得し、
前記他方の領域から前記初期値が含まれる領域まで前記偏心駆動部（１４）を回転させた際に、前記揺動角（ｐ）と等しい揺動角になる第２の回転角（ｂ）を取得し、
前記揺動角（ｐ）と、前記第１の回転角（ａ）と、前記第２の回転角（ｂ）とを前記偏心量マップ（６００）にあてはめ、前記正領域と前記負領域の境界を前記偏心量がゼロとなる前記偏心駆動部（１４）の回転角として決定する
ことを特徴とする変速制御装置。
【請求項２】
前記偏心制御部（５３）は、
前記無段変速機（１）が非駆動状態のときに、前記偏心量がゼロとなる前記偏心駆動部（１４）の回転角度を決定することを特徴とする請求項１に記載の変速制御装置。
【請求項３】
前記偏心制御部（５３）は、
前記駆動源の起動時もしくは終了時に前記回転角を決定することを特徴する請求項２に記載の変速制御装置。
【請求項４】
前記偏心量マップ（６００）には、前記偏心制御部（５３）の制御値に対する前記偏心駆動部（１４）の回転角と前記揺動リンク（１８）の揺動角との関係の理論値が格納されており、
前記偏心制御部（５３）は、
前記第１方向および前記第２方向に前記偏心駆動部（１４）を回転させた場合の回転角と揺動角の検出結果と、前記理論値との差分により、前記偏心機構（４〜１３）のバックラッシュを算出し、
前記偏心制御部（５３）は、
前記バックラッシュに対応する回転角として待機制御値を設定し、
車両の停止状態において、前記偏心量がゼロとなる前記偏心駆動部（１４）の回転角から前記待機制御値だけ前記偏心駆動部（１４）を回転させる
ことを特徴とする請求項１に記載の変速制御装置。
【請求項５】
操作部（ＥＣＯＮ）からの入力に応じて前記駆動源の制御モードを判定する操作入力判定部（５７）を更に備え、
前記操作入力判定部（５７）により、燃料の消費を抑えるエンジン制御モードが選択されたと判定された場合、前記偏心制御部（５３）は前記待機制御値として前記バックラッシュに対応する回転角を設定し、
前記操作入力判定部（５７）により、前記エンジン制御モードが選択されていないと判定された場合、前記偏心制御部（５３）は前記待機制御値として、車両の静止摩擦力に対応する駆動力を前記出力軸（３）側に加えるための回転角を設定し、
前記車両の停止状態において、前記偏心制御部（５３）は、前記偏心量がゼロとなる前記偏心駆動部（１４）の回転角から前記待機制御値だけ前記偏心駆動部（１４）を回転させる
ことを特徴とする請求項４に記載の変速制御装置。
【請求項６】
前記偏心制御部（５３）は、前記第１の回転角（ａ）および前記第２の回転角（ｂ）の中点を前記偏心量がゼロとなる前記偏心駆動部（１４）の回転角として決定することを特徴とする請求項１に記載の変速制御装置。
【手続補正２】
【補正対象書類名】明細書
【補正対象項目名】００１３
【補正方法】変更
【補正の内容】
【００１３】
また、本発明の変速制御装置の第４の側面によれば、前記偏心量マップ（６００）には、前記偏心制御部（５３）の制御値に対する前記偏心駆動部（１４）の回転角と前記揺動リンク（１８）の揺動角との関係の理論値が格納されており、
前記偏心制御部（５３）は、
前記第１方向および前記第２方向に前記偏心駆動部（１４）を回転させた場合の回転角と揺動角の検出結果と、前記理論値との差分により、前記偏心機構（４〜１３）のバックラッシュを算出し、
前記偏心制御部（５３）は、
前記バックラッシュに対応する回転角として待機制御値を設定し、
車両の停止状態において、前記偏心量がゼロとなる前記偏心駆動部（１４）の回転角から前記待機制御値だけ前記偏心駆動部（１４）を回転させることを特徴とする。
【手続補正３】
【補正対象書類名】明細書
【補正対象項目名】００１５
【補正方法】変更
【補正の内容】
【００１５】
また、本発明の変速制御装置の第６の側面によれば、前記偏心制御部（５３）は、前記第１の回転角（ａ）および前記第２の回転角（ｂ）の中点を前記偏心量がゼロとなる前記偏心駆動部（１４）の回転角として決定することを特徴とする。
【国際調査報告】
2015151373.tif 000026
2015151373.tif 000027
2015151373.tif 000028